(57)【特許請求の範囲】
【請求項１】
油性インキが充填されたレフィール、又は、前記油性インキが充填されたレフィールよりもその外径が大きく形成された水性インキが充填されたレフィールと、
前記油性インキが充填されたレフィールを弾発する、外径が一定のノックスプリング、又は、前記油性インキが充填されたレフィールを弾発するノックスプリングよりもその外径が大きく形成され、前記水性インキが充填されたレフィールを弾発する、外径が一定のノックスプリングと、
その内部に、前記油性インキが充填されたレフィール及び前記油性インキが充填されたレフィールを弾発する前記ノックスプリング、又は、前記水性インキが充填されたレフィール及び前記水性インキが充填されたレフィールを弾発する前記ノックスプリングの一方を、前記油性インキが充填されたレフィール又は前記水性インキが充填されたレフィールを前後動可能に収納するとともに、その先端内部に形成された前記油性インキが充填されたレフィールを弾発する前記ノックスプリングを受ける第１受け段、及び、その先端内部であって、前記第１受け段の尾端側に形成され、前記水性インキが充填されたレフィールを弾発する前記ノックスプリングを受ける第２受け段を有する軸筒と、
を備えることを特徴とする繰出式筆記具。
【発明の詳細な説明】
【技術分野】
【０００１】
本発明は、１本のレフィールが軸筒内に収容され、レフィール先端のペン体が繰出操作により軸筒の先端開口から出没する繰出式筆記具に関する。
【背景技術】
【０００２】
繰出式筆記具、例えば１本のボールペンレフィールが軸筒内に収容され、軸筒の尾端から突出したノックボタンを押圧するノック操作や前軸に対して後軸を回転させる回転操作などの繰出操作によりレフィール先端のペン体が軸筒の先端開口から出没する繰出式ボールペンにおいては、レフィールは一端が軸筒先端の略円錐状をした部分の内部に形成された受け段に係止したノックスプリングにより尾端側に弾発された状態で軸筒内に収容されている。そして、レフィールの後端は繰出機構に当接しており、繰出操作により繰出機構が前進するとレフィールはノックスプリングの弾発力に抗して前進してペン体が軸筒の先端開口から突出し、繰出機構が後退するとレフィールはノックスプリングの弾発力により後退し、ペン体が軸筒内部に没入する。
【特許文献１】特開２００７−２１０２１５号公報
【０００３】
かかる繰出式ボールペンは、不使用時にレフィールのペン体を軸筒内部に没入させてキャップを使用しないので、従来は、レフィールはインキ漏れの恐れの少ない油性インキを充填したものが多かったが、近年では、静時には粘度が高くてインキ漏れの恐れは少ないが筆記時にペン体のボールが回転するとそのせん断力により粘度が低下するゲル式の水性インキを充填したものも多用されるようになった。
【発明の開示】
【発明が解決しようとする課題】
【０００４】
油性インキのボールペンと水性インキのボールペンを軸筒などの部品を共通化して外観を同一にして発売することがあるが、筆記に消費されるインキ量は水性インキの方が多いので、水性インキが充填されたレフィールの外径は油性インキが充填されたものよりも大きくなる。このため、ノックスプリングの外径は油性インキのボールペンと水性インキのボールペンでは異なり、水性インキ用のノックスプリングの外径の方が大きい。しかし、油性インキ用に設計された軸筒内に水性インキが充填されたレフィールを収容すると、ノックスプリングの一端を係止する受け段の内径が小さいので、径が先端側に向かって徐々に小さくなる円錐筒状のスプリングを使用する必要がある。逆に、水性インキ用に設計された軸筒内に油性インキが充填されたレフィールを収容する場合も事情は同じであり、内径が大きな受け段に一端を係止するために、径が先端側に向かって徐々に大きくなる円錐筒状のスプリングを使用する必要がある。しかし、円錐筒状のスプリングは上下の方向性があるため、組立時にスプリングの方向性を確認する必要があり、組立に手間を要する不具合がある。また、円錐筒状のスプリングは円筒状のスプリングに比べてコスト高である不具合もある。
【０００５】
そこで本発明は、油性インキが充填されたレフィールを軸筒内に収容した油性インキ繰出筆記具と水性インキが充填されたレフィールを軸筒内に収容した水性インキ繰出筆記具とを軸筒などの部品を共通化して外観を同一にする場合に、コストが低くて上下の方向性のない円筒状のノックスプリングを使用でき、組立が容易な繰出式筆記具を提供することを目的とする。
【課題を解決するための手段】
【０００６】
かかる目的を達成するために、繰出式筆記具は、油性インキが充填されたレフィール、又は、前記油性インキが充填されたレフィールよりもその外径が大きく形成された水性インキが充填されたレフィールと、前記油性インキが充填されたレフィールを弾発する、外径が一定のノックスプリング、又は、前記油性インキが充填されたレフィールを弾発するノックスプリングよりもその外径が大きく形成され、前記水性インキが充填されたレフィールを弾発する、外径が一定のノックスプリングと、その内部に、前記油性インキが充填されたレフィール及び前記油性インキが充填されたレフィールを弾発する前記ノックスプリング、又は、前記水性インキが充填されたレフィール及び前記水性インキが充填されたレフィールを弾発する前記ノックスプリングの一方を、前記油性インキが充填されたレフィール又は前記水性インキが充填されたレフィールを前後動可能に収納するとともに、その先端内部に形成された前記油性インキが充填されたレフィールを弾発する前記ノックスプリングを受ける第１受け段、及び、その先端内部であって、前記第１受け段の尾端側に形成され、前記水性インキが充填されたレフィールを弾発する前記ノックスプリングを受ける第２受け段を有する軸筒と、を備える。
【発明の効果】
【０００７】
軸筒先端の内部に水性インキが充填されたレフィールのノックスプリング用の内径の大きな受け段と油性インキが充填されたレフィールのノックスプリング用の内径の小さな受け段を個別に設けるので、いずれのインキが充填されたレフィールであっても上下の方向性のない円筒状のノックスプリングを使用でき、組立時に上下の方向性を確認する必要がなく、組立が容易になる。
【発明を実施するための最良の形態】
【０００８】
以下に図面に基づいて発明を実施するための最良の形態を示す。図１は油性インキが充填されたレフィール４Ａを軸筒１内に収容した繰出式油性ボールペンを示し、図２は水性インキが充填されたレフィール４Ｂを軸筒１内に収容した繰出式水性ボールペンを示すが、図１および図２において、軸筒１は前軸２と後軸３からなり、先端開口２１を有する前軸２と繰出機構が内蔵された後軸３は分離可能に螺着されている。前軸２の外周には軟質合成樹脂からなるグリッパー８が取り付けられ、後軸３の尾端には、クリップ９１が一体になった尾冠９が取り付けられている。そして、軸筒１内に油性インキが充填されたレフィール４Ａないし水性インキが充填されたレフィールＢが前後動可能に収容されており、レフィール４ＡないしレフィールＢはそれぞれノックスプリング５Ａないしノックスプリング５Ｂで尾端側に弾発されている。
【０００９】
繰出機構は、回転子６を有する周知の回転ノック式であり、これを簡単に説明すると、レフィール４ＡないしレフィールＢの尾端はそれぞれ回転子６に当接している。回転子６の羽根部が後軸３の縦溝３１に沿って前後動するが、ノック７を押圧すると回転子６は回転力を付与された状態で前進し、回転子６の羽根部が後軸３の縦溝３１を抜け出すと少し回転して縦溝３１を構成する縦リブの頂部に係止し、レフィール４ＡないしレフィールＢ先端のペン体４１が前軸２の先端開口２１から突出して筆記可能になる。この状態から再びノックすると回転子６が少し回転して羽根部が縦溝３１にはまり込み、ノックスプリング５Ａないしノックスプリング５Ｂの弾発力によりで後退してペン体２１が前軸２内に没入する。繰出機構は、回転子６を有する回転ノック式に限られるものではなく、回転カムを使用するものなどであってもよい。
【００１０】
ここで、油性インキが充填されたレフィール４Ａの外径は例えば３ｍｍφであり、水性インキが充填されたレフィール４Ｂの外径は６ｍｍφである。したがって、ノックスプリング５Ａの外径はノックスプリング５Ｂの外径よりも小さい。前軸２先端は略円錐形をしており、その内部には、図３に示すように、ノックスプリング５Ａ用の内径の小さい第１受け段２２とその尾端側にノックスプリング５Ｂ用の内径の大きな第２受け段２３が個別に設けられている。そして、ノックスプリング５Ａは、図１に示すように、レフィール４Ａの膨出部４２と第１受け段２２の間に介装されるが、第１受け段２２の内径は円筒状のノックスプリング５Ａが係止できる大きさになっている。一方、ノックスプリング５Ｂは、図２に示すように、レフィール４Ｂの段部４３と第２受け段２３の間に介装されるが、第２受け段２３の内径は円筒状のノックスプリング５Ｂが係止できる大きさになっている。つまり、ノックスプリング５Ａとノックスプリング５Ｂは外径が一定の円筒状のコイルスプリングか使用されている。したがって、コイルスプリングに上下の方向性がなく、組立が容易である。
なお、軸筒の先端に先口が螺着された筆記具においては、第１受け段および第２受け段は先口内に形成されるが、本明細書においては先口も広義の軸筒である。
以下に、本願出願の当初の特許請求の範囲に記載された発明を付記する。
［１］軸筒先端内部に形成された受け段に一端が係止したノックスプリングにより尾端側に弾発された１本のレフィールが軸筒内に前後動可能に収容され、繰出操作によりレフィール先端のペン体が軸筒の先端開口から出没する繰出式筆記具において、
前記軸筒先端内部に水性インキが充填されたレフィールのノックスプリング用の内径の大きな受け段と油性インキが充填されたレフィールのノックスプリング用の内径の小さな受け段が個別に設けられたことを特徴とするノック式筆記具。
【図面の簡単な説明】
【００１１】
【図１】油性繰出ボールペンの断面図である。
【図２】水性繰出ボールペンの断面図である。
【図３】軸筒先端部の断面図である。
【符号の説明】
【００１２】
１    軸筒
２    前軸
２１    先端開口
２２    第１受け段
２３    第２受け段
３    後軸
３１    縦溝
４Ａ，４Ｂ    レフィール
５Ａ，５Ｂ    ノックスプリング  
４１    ペン体
４２    膨出部
４３    段部
６    回転子
７    ノック
８    グリッパー
９    尾冠
９１    クリップ
【図１】
0005005575.tif 000002
【図２】
0005005575.tif 000003
【図３】
0005005575.tif 000004